(57)【要約】  最適なＥＵＶ発生条件に過度な影響を与えることなくデブリフラックスを維持すると共に最適化するように放射源制御ループを確立したＥＵＶシステムが開示される。例えば熱電対のような１つ以上の温度センサを容器内に設置して各局所ガス温度を測定することができる。１つ以上の熱電対によって測定された各局所温度を、放射源制御ループに対する１つ以上の入力として使用できる。放射源制御ループは次いで、ＥＵＶ生成に影響を与えることなくデブリ発生及び堆積の最適化を可能とするようにレーザターゲット設定を調整し、これによって放射源及びそのコレクタの寿命を延ばすことができる。【選択図】  図４
2020519924.tif 000002
【特許請求の範囲】
【請求項１】
ＥＵＶ放射を発生するための装置であって、
容器と、
レーザ放射を発生するように適合されたレーザと、
前記レーザ放射を受容するように配置され、前記レーザ放射を前記容器内の照射領域に誘導するように適合されたレーザステアリングシステムと、
前記レーザによって照射される前記照射領域にターゲット材料を送出するように適合されたターゲット材料デリバリシステムであって、前記レーザによる前記ターゲット材料の前記照射が前記ＥＵＶ放射を発生する、ターゲット材料デリバリシステムと、
前記照射領域内の前記ターゲット材料の位置を調整するための、前記ターゲット材料デリバリシステムに結合されたターゲット材料ステアリングシステムと、
前記ＥＵＶ放射の少なくとも１つの動作パラメータを測定するように、かつ、前記動作パラメータの値を示す第１の信号を発生するように適合されたＥＵＶ放射メトロロジシステムと、
前記容器内の位置に配置され、前記位置における前記容器内の温度を測定するように、かつ、前記測定した温度の値を示す温度信号を発生するように適合された温度センサと、
前記第１の信号及び前記温度信号を受信し、少なくとも部分的に前記測定した温度に基づいて制御信号を発生し、更に、前記制御信号を前記レーザステアリングシステム及び前記ターゲット材料ステアリングシステムのうち少なくとも１つに提供して前記照射領域における前記レーザ放射と前記ターゲット材料との相互作用を調整するように適合されたコントローラと、
を備える装置。
【請求項２】
前記容器内に位置付けられたＥＵＶ光学要素を更に備え、前記温度センサが配置されている前記位置は前記ＥＵＶ光学要素の重力的に上方である、請求項１に記載の装置。
【請求項３】
前記ＥＵＶ光学要素はコレクタミラーを含む、請求項２に記載の装置。
【請求項４】
前記温度センサが配置されている前記位置は前記容器の内壁上である、請求項１に記載の装置。
【請求項５】
前記温度センサは熱電対を含む、請求項１に記載の装置。
【請求項６】
前記容器内の第２の位置に配置され、前記第２の位置における前記容器内の第２の温度を測定するように、かつ、前記第２の測定した温度の値を示す第２の温度信号を発生するように適合された第２の温度センサを更に備え、前記コントローラは、前記第２の温度信号を受信するように、かつ、少なくとも部分的に前記第２の測定した温度に基づいて前記制御信号を発生するように適合されている、請求項１に記載の装置。
【請求項７】
ＥＵＶ放射を発生するための装置であって、
容器と、
レーザ放射を発生するように適合されたレーザと、
前記レーザ放射を受容するように配置され、前記レーザ放射を前記容器内の照射領域に誘導するように適合されたレーザステアリングシステムと、
前記レーザによって照射される前記照射領域にターゲット材料を送出するように適合されたターゲット材料デリバリシステムであって、前記レーザによる前記ターゲット材料の前記照射が前記ＥＵＶ放射を発生する、ターゲット材料デリバリシステムと、
前記照射領域内の前記ターゲット材料の位置を調整するための、前記ターゲット材料デリバリシステムに結合されたターゲット材料ステアリングシステムと、
前記容器内に位置付けられたＥＵＶ光学要素と、
前記ＥＵＶ光学要素の重力的に上方の前記容器内の第１の位置に配置され、前記第１の位置における前記容器内の第１の測定温度を測定するように、かつ、前記第１の測定温度の値を示す第１の温度信号を発生するように適合された第１の温度センサと、
前記容器内の第２の位置に配置され、前記第２の位置における前記容器内のガスの第２の温度を測定するように、かつ、前記第２の測定温度の値を示す第２の温度信号を発生するように適合された第２の温度センサと、
前記第１の信号及び前記温度信号を受信するように、かつ、少なくとも部分的に前記第１の測定温度及び前記第２の測定温度に基づいて制御信号を発生して、前記制御信号を前記レーザステアリングシステムに提供して、前記レーザ放射が前記照射領域において前記ターゲット材料に当たる角度を調整するように適合されたコントローラと、
を備える装置。
【請求項８】
前記ＥＵＶ光学要素はコレクタミラーを含む、請求項７に記載の装置。
【請求項９】
前記第１の温度センサは前記容器の内壁上に配置され、前記第２の温度センサは前記容器の内壁上に配置されている、請求項７に記載の装置。
【請求項１０】
前記第１の温度センサは第１の熱電対を含み、前記第２の温度センサは第２の熱電対を含む、請求項７に記載の装置。
【請求項１１】
ＥＵＶ放射を発生するための装置であって、
容器と、
レーザビームを発生するように適合されたレーザと、
前記レーザビームを受容するように配置され、前記レーザビームを前記容器内の照射領域に誘導すると共に前記照射領域における前記レーザビームの傾斜を調整するように適合されたレーザステアリングシステムと、
前記レーザビームによって照射される前記照射領域にターゲット材料を送出するように適合されたターゲット材料デリバリシステムであって、前記レーザビームによる前記ターゲット材料の前記照射が前記ＥＵＶ放射を発生する、ターゲット材料デリバリシステムと、
前記容器内の位置に配置され、前記位置における前記容器内の温度を測定するように、かつ、前記測定した温度の値を示す温度信号を発生するように適合された温度センサと、
前記温度信号を受信し、少なくとも部分的に前記温度信号の前記値に基づいて制御信号を発生し、更に、前記制御信号を前記レーザステアリングシステムに提供して前記レーザビームの前記傾斜を調整するように適合されたコントローラと、
を備える装置。
【請求項１２】
前記傾斜は前記温度を所定の最大値未満に維持するように調整される、請求項１１に記載の装置。
【請求項１３】
前記容器内の第２の位置に配置され、前記第２の位置における前記容器内の第２の温度を測定するように、かつ、前記測定した温度の第２の値を示す第２の温度信号を発生するように適合された第２の温度センサを更に備え、前記コントローラは更に、前記第２の温度信号を受信し、少なくとも部分的に前記第２の温度信号の前記第２の値に基づいて前記制御信号を発生し、前記制御信号を前記レーザステアリングシステムに提供して前記レーザビームの前記傾斜を調整するように適合されている、請求項１１に記載の装置。
【請求項１４】
前記容器内に位置付けられたＥＵＶ光学要素を更に備え、前記温度センサが配置されている前記位置は前記ＥＵＶ光学要素の重力的に上方である、請求項１３に記載の装置。
【請求項１５】
前記ＥＵＶ光学要素はコレクタミラーを含む、請求項１４に記載の装置。
【請求項１６】
前記温度センサが配置されている前記位置は前記容器の内壁上である、請求項１４に記載の装置。
【請求項１７】
前記温度センサは熱電対を含み、前記第２の温度センサは熱電対を含む、請求項１３に記載の装置。
【請求項１８】
ＥＵＶ放射を発生するための装置であって、
容器と、
レーザビームを発生するように適合されたレーザと、
前記レーザビームを受容するように配置され、前記レーザビームを前記容器内の照射領域に誘導すると共に前記照射領域における前記レーザビームの傾斜を調整するように適合されたレーザステアリングシステムと、
前記レーザビームによって照射される前記照射領域にターゲット材料を送出するように適合されたターゲット材料デリバリシステムであって、前記レーザビームによる前記ターゲット材料の前記照射が前記ＥＵＶ放射を発生する、ターゲット材料デリバリシステムと、
前記容器内の各位置に配置され、前記各位置における前記容器内の温度を測定するように、かつ、前記測定した温度の値を示す複数の温度信号を発生するように適合された複数の温度センサと、
前記複数の温度信号を受信し、少なくとも部分的に前記温度信号の前記値に基づいて制御信号を発生し、更に、前記制御信号を前記レーザステアリングシステムに提供して前記レーザビームの前記傾斜を調整するように適合されたコントローラと、
を備える装置。
【請求項１９】
前記容器内に位置付けられたＥＵＶ光学要素を更に備え、前記複数の温度センサのうち少なくとも１つが配置されている前記位置は前記ＥＵＶ光学要素の重力的に上方である、請求項１８に記載の装置。
【請求項２０】
前記複数の温度センサの各々は熱電対を含む、請求項１８に記載の装置。
【発明の詳細な説明】
【技術分野】
【０００１】
（関連出願の相互参照）
[0001]  本出願は、２０１７年５月１２日に出願された米国出願第１５／５９３，７３２号の優先権を主張する。これは援用により全体が本願に含まれる。
【０００２】
[0002]  本開示は、容器内のターゲット材料の放電又はレーザアブレーションによって生成されたプラズマから極端紫外線（「ＥＵＶ」：extreme ultraviolet）放射を発生するための装置及び方法に関する。このような適用例では、例えば半導体フォトリソグラフィ及び検査での使用向けに放射を収光し誘導するため、光学要素が使用される。
【背景技術】
【０００３】
[0003]  例えば、約１３．５ｎｍの波長の放射を含む、約５０ｎｍ以下の波長を有する（時として軟ｘ線とも称される）電磁放射のような極端紫外線放射は、フォトリソグラフィプロセスで用いて、シリコンウェーハのような基板に極めて小さいフィーチャを生成することができる。
【０００４】
[0004]  ＥＵＶ放射を発生する方法は、ターゲット材料をプラズマ状態に変換することを含む。ターゲット材料は好ましくは、電磁スペクトルのＥＵＶ部分に１つ以上の輝線を有する、例えばキセノン、リチウム、又はスズのような少なくとも１つの元素を含む。ターゲット材料は、固体、液体、又は気体である場合がある。そのような方法の１つであり、しばしばレーザ生成プラズマ（「ＬＰＰ」：laser produced plasma）と呼ばれる方法では、レーザビームを用いて、必要な線発光元素を有するターゲット材料を照射することにより、必要なプラズマを生成することができる。
【０００５】
[0005]  １つのＬＰＰ技法は、ターゲット材料小滴の流れを発生することと、この小滴の少なくとも一部を１つ以上のレーザ放射パルスで照射することと、を含む。このようなＬＰＰ源は、少なくとも１つのＥＵＶ放出元素を有するターゲット材料にレーザエネルギを結合し、数１０ｅＶの電子温度を有する高度に電離したプラズマを生成することによって、ＥＵＶ放射を発生する。
【０００６】
[0006]  この目的のため、プラズマは典型的に、例えば真空チャンバのような密閉容器内で生成され、これによって得られるＥＵＶ放射は様々なタイプのメトロロジ機器を用いて監視される。ＥＵＶ放射の発生に加えて、プラズマを発生するため使用されるプロセスは通常、プラズマチャンバ内で望ましくない副生成物も発生させる。この副生成物は、帯域外の放射、高エネルギのイオン、並びに、例えば残留ターゲット材料の原子及び／又は塊（clump）／微液滴（microdroplet）のようなデブリを含む可能性がある。
【０００７】
[0007]  エネルギ放射は、プラズマから全方向に放出される。１つの一般的な構成では、放射の少なくとも一部を集光し、中間位置へ誘導するため、いくつかの構成では更に集束するため、近法線入射ミラー（「コレクタミラー」又は単に「コレクタ」と称されることが多い）が位置決めされている。集光された放射は次いで中間位置から、光学系のセット、レチクル、検出器へ、最終的にはシリコンウェーハへと送ることができる。
【０００８】
[0008]  スペクトルのＥＵＶ部分においては、コレクタ、イルミネータ、及び投影光ボックスを含むシステムの光学要素のために、反射光学系を使用することが必要であると一般的に考えられている。これらの反射光学系は、前述のような法線入射光学系として又はかすめ入射光学系として実施することができる。関連する波長において、コレクタは多層ミラー（「ＭＬＭ」：multi-layer mirror）として実施すると有利である。その名前が示す通り、このＭＬＭは一般に、基盤又は基板の上に交互に配置された材料層から成る。また、システム光学系は、ＭＬＭとして実施されない場合であっても、コーティングされた光学要素として構成することができる。
【０００９】
[0009]  光学要素は、ＥＵＶ放射を集光し方向転換させるため、プラズマと共に容器内に配置しなければならない。チャンバ内の環境は光学要素にとって有害であり、例えば光学要素の反射率を低下させてその耐用年数を制限する。環境内の光学要素は、ターゲット材料の高エネルギのイオン又は粒子に露呈され得る。実質的にレーザ蒸発プロセスからのデブリであるターゲット材料の粒子は、光学要素の露呈された表面を汚染させる可能性がある。また、ターゲット材料の粒子は、ＭＬＭ表面に対して物理的損傷及び局所加熱を引き起こす恐れがある。
【００１０】
[00010]  いくつかのシステムでは、デブリ軽減のためのバッファガスとして、０．５〜３ｍｂａｒの範囲内の圧力のＨ2ガスが真空チャンバ内で使用される。ガスが存在しない場合、真空圧では、照射領域から放出されるターゲット材料デブリからコレクタを適切に保護することが難しい。水素は、約１３．５ｎｍの波長を有するＥＵＶ放射に対して比較的透明であり、このため、Ｈｅ、Ａｒ、又は約１３．５ｎｍで高い吸収を示す他のガスのような他の候補のガスよりも好適である。
【００１１】
[00011]  Ｈ2ガスは、真空チャンバ内に導入されて、プラズマによって生じたターゲット材料の高エネルギのデブリ（イオン、原子、及び塊）を低速化する。デブリはガス分子との衝突によって低速化する。この目的のため、使用されるＨ2ガスの流れは、デブリ軌道と逆向きでありコレクタから離れる方向とすることができる。これは、コレクタの光学コーティングに対するターゲット材料の堆積、インプラント、及びスパッタリングの損傷を軽減させるように作用する。
【００１２】
[00012]  また、ＥＵＶ光を発生するプロセスによって、ターゲット材料が容器の壁にも堆積する可能性がある。容器の壁のターゲット材料堆積を最小限に抑えることは、生産に使用されているＥＵＶ源の満足できる長さの寿命を達成するために重要である。また、照射場所からのターゲット材料フラックスの方向と、バッファガス内への電力損失の方向性を維持することは、廃棄ターゲット材料軽減システムが目的通りに動作し、ターゲット材料の蒸発に伴う副生成物を容認できる程度に確実に管理可能とするために重要である。
【発明の概要】
【００１３】
[00013]  以下は、１つ以上の実施形態の基本的な理解を得るため、それらの実施形態の簡略化された概要を示す。この概要は、想定される全ての実施形態を広く概観するものではなく、全ての実施形態の重要な要素又は不可欠な要素を識別することは意図しておらず、また、いずれかの又は全ての実施形態の範囲に限定を設定することも意図していない。その唯一の目的は、後に提示される更に詳細な記載の前置きとして、１つ以上の実施形態のいくつかの概念を簡略化した形態で示すことである。
【００１４】
[00014]  一態様に従って、最適なＥＵＶ発生条件に過度な影響を与えることなくデブリフラックスを維持すると共に最適化するように放射源制御ループが確立される。例えば熱電対のような１つ以上の温度センサを容器内に設置して各局所ガス温度を測定することができる。１つ以上の熱電対によって測定された各局所温度を、放射源制御ループに対する１つ以上の入力として使用できる。放射源制御ループは次いで、ＥＵＶ生成に影響を与えることなくデブリの発生と堆積の最適化を可能とするように、ドライブレーザターゲット設定すなわちターゲット材料を蒸発させるため使用されるレーザのターゲット設定を調整し、これによって放射源及びそのコレクタの寿命を延ばすことができる。
【００１５】
[00015]  一態様に従って、ＥＵＶ放射を発生するための装置が開示される。この装置は、容器と、レーザ放射を発生するように適合されたレーザと、レーザ放射を受容するように配置され、レーザ放射を容器内の照射領域に誘導するように適合されたレーザステアリングシステムと、を含む。装置は、レーザによって照射される照射領域にターゲット材料を送出するように適合されたターゲット材料デリバリシステムも含む。レーザによるターゲット材料の照射がＥＵＶ放射を発生する。ターゲット材料ステアリングシステムは、照射領域内のターゲット材料の位置を調整するためのものであり、ターゲット材料デリバリシステムに結合されている。装置は、ＥＵＶ放射の少なくとも１つの動作パラメータを測定するように、かつ、動作パラメータの値を示す第１の信号を発生するように適合されたＥＵＶ放射メトロロジシステムと、容器内の位置に配置され、位置における容器内の温度を測定するように、かつ、測定した温度の値を示す温度信号を発生するように適合された温度センサと、第１の信号及び温度信号を受信し、少なくとも部分的に測定した温度に基づいて制御信号を発生し、更に、制御信号をレーザステアリングシステム及びターゲット材料ステアリングシステムのうち少なくとも１つに提供して照射領域におけるレーザ放射とターゲット材料との相互作用を調整するように適合されたコントローラと、も含む。
【００１６】
[00016]  装置は、容器内に位置付けられたＥＵＶ光学要素を更に含み、温度センサが配置されている位置はＥＵＶ光学要素の重力的に上方であり得る。ＥＵＶ光学要素はコレクタミラーとすることができる。温度センサは容器の内壁上に配置され得る。温度センサは熱電対であるか又は熱電対を含むことができる。装置は、容器内の第２の位置に配置され、第２の位置における容器内の第２の温度を測定するように、かつ、第２の測定した温度の値を示す第２の温度信号を発生するように適合された第２の温度センサを更に含み、コントローラは、第２の温度信号を受信するように、かつ、少なくとも部分的に第２の測定した温度に基づいて制御信号を発生するように適合することができる。
【００１７】
[00017]  別の態様に従って、ＥＵＶ放射を発生するための装置が開示される。この装置は、容器と、レーザ放射を発生するように適合されたレーザと、レーザ放射を受容するように配置され、レーザ放射を容器内の照射領域に誘導するように適合されたレーザステアリングシステムと、を含む。装置は、レーザによって照射される照射領域にターゲット材料を送出するように適合されたターゲット材料デリバリシステムも含む。レーザによるターゲット材料の照射がＥＵＶ放射を発生する。また、ＥＵＶ光学要素が容器内に位置付けられている。第１の温度センサは、ＥＵＶ光学要素の重力的に上方の容器内の第１の位置に配置され、第１の位置における容器内の第１の測定温度を測定するように、かつ、第１の測定温度の値を示す第１の温度信号を発生するように適合されている。第２の温度センサは、容器内の第２の位置に配置され、第２の位置における容器内のガスの第２の温度を測定するように、かつ、第２の測定温度の値を示す第２の温度信号を発生するように適合されている。コントローラは、第１の信号及び温度信号を受信するように、かつ、少なくとも部分的に第１の測定温度及び第２の測定温度に基づいて制御信号を発生して、制御信号をレーザステアリングシステムに提供して、レーザ放射が照射領域においてターゲット材料に当たる角度を調整するように適合されている。ＥＵＶ光学要素はコレクタミラーであるか又はコレクタミラーを含むことができる。第１の温度センサは容器の内壁上に配置し、第２の温度センサは容器の内壁上に配置することができる。第１の温度センサは熱電対であり、第２の温度センサは第２の熱電対であり得る。
【００１８】
[00018]  別の態様に従って、ＥＵＶ放射を発生するための装置が開示される。この装置は、容器と、レーザビームを発生するように適合されたレーザと、レーザビームを受容するように配置され、レーザビームを容器内の照射領域に誘導すると共に照射領域におけるレーザビームの傾斜を調整するように適合されたレーザステアリングシステムと、を含む。装置は、レーザビームによって照射される照射領域にターゲット材料を送出するように適合されたターゲット材料デリバリシステムであって、レーザビームによるターゲット材料の照射がＥＵＶ放射を発生する、ターゲット材料デリバリシステムと、容器内の位置に配置され、位置における容器内の温度を測定するように、かつ、測定した温度の値を示す温度信号を発生するように適合された温度センサと、温度信号を受信し、少なくとも部分的に温度信号の値に基づいて制御信号を発生し、更に、制御信号をレーザステアリングシステムに提供してレーザビームの傾斜を調整するように適合されたコントローラと、も含む。傾斜は、温度を所定の最大値未満に維持するように調整することができる。装置は、容器内の第２の位置に配置され、第２の位置における容器内の第２の温度を測定するように、かつ、測定した温度の第２の値を示す第２の温度信号を発生するように適合された第２の温度センサも含み、コントローラは更に、第２の温度信号を受信し、少なくとも部分的に第２の温度信号の第２の値に基づいて制御信号を発生し、制御信号をレーザステアリングシステムに提供してレーザビームの傾斜を調整するように適合することができる。
【００１９】
[00019]  特許請求される装置は、容器内に位置付けられたＥＵＶ光学要素も含むことができ、温度センサが配置されている位置はＥＵＶ光学要素の重力的に上方である。ＥＵＶ光学要素は、コレクタミラーであるか又はコレクタミラーを含むことができる。温度センサが配置されている位置は容器の内壁上である。温度センサは熱電対であるか又は熱電対を含むことができる。
【００２０】
[00020]  別の態様に従って、ＥＵＶ放射を発生するための装置が開示される。この装置は、容器と、レーザビームを発生するように適合されたレーザと、レーザビームを受容するように配置され、レーザビームを容器内の照射領域に誘導すると共に照射領域におけるレーザビームの傾斜を調整するように適合されたレーザステアリングシステムと、を含む。装置は、レーザビームによって照射される照射領域にターゲット材料を送出するように適合されたターゲット材料デリバリシステムも含み、レーザビームによるターゲット材料の照射がＥＵＶ放射１８を発生する。装置は、容器内の各位置に配置され、各位置における容器内の温度を測定するように、かつ、測定した温度の値を示す複数の温度信号を発生するように適合された複数の温度センサと、複数の温度信号を受信し、少なくとも部分的に温度信号の値に基づいて制御信号を発生し、更に、制御信号をレーザステアリングシステムに提供してレーザビームの傾斜を調整するように適合されたコントローラと、も含む。装置は、容器内に位置付けられたＥＵＶ光学要素も含み、複数の温度センサのうち少なくとも１つが配置されている位置はＥＵＶ光学要素の重力的に上方であり得る。複数の温度センサの各々は熱電対であるか又は熱電対を含むことができる。
【図面の簡単な説明】
【００２１】
【図１】[00021]  本発明の一態様に従ったレーザ生成プラズマＥＵＶ放射源システムの全体的な広い概念を示す、一定の縮尺通りでない概略図である。
【図２】[00022]  図１のシステムの一部の、一定の縮尺通りでない概略図である。
【図３】[00023]  図１のシステムのようなシステムにおいてレーザビームとターゲット材料小滴との間に起こり得る相互作用のジオメトリの図である。
【図４】[00024]  本発明の一態様に従ったレーザ生成プラズマＥＵＶ放射源システムにおいて用いられる容器内の温度センサの可能な構成を示す、一定の縮尺通りでない斜視図である。
【発明を実施するための形態】
【００２２】
[00025]  これより図面を参照して様々な実施形態について記載する。図面全体を通して、同様の参照番号を用いて同様の要素を指し示す。以下の記載では、説明の目的で、１つ以上の実施形態の完全な理解を促進するために多数の具体的な詳細事項について述べる。しかしながら、いくつかの又は全ての場合においては、以下に記載されるいずれの実施形態も、以下に記載されるそのような具体的な設計上の詳細事項を採用することなく実施可能であることは明らかであろう。場合によっては、１つ以上の実施形態の記載を容易にするため、周知の構造及びデバイスはブロック図の形態で示される。
【００２３】
[00026]  まず図１を参照すると、本発明の実施形態の一態様に従った、例えばレーザ生成プラズマＥＵＶ放射源１０のような例示的なＥＵＶ放射源の概略図が示されている。図示のように、ＥＵＶ放射源１０はパルス又は連続レーザ源２２を含むことができる。これは例えば、１０．６μｍ又は１μｍの放射ビーム１２を生成するパルスガス放電ＣＯ2レーザ源とすればよい。パルスガス放電ＣＯ2レーザ源は、高パワーかつ高パルス繰り返し率で動作するＤＣ又はＲＦ励起を有し得る。
【００２４】
[00027]  ＥＵＶ放射源１０は、ターゲット材料を液滴又は連続液体流の形態で送出するためのターゲットデリバリシステム２４も含む。この例ではターゲット材料は液体であるが、固体又は気体であってもよい。ターゲット材料はスズ又はスズ化合物で構成することができるが、他の材料も使用可能である。図示されているシステムにおいてターゲット材料デリバリシステム２４は、ターゲット材料の小滴１４を、真空チャンバ２６の内部の照射領域２８へ導入する。ここでターゲット材料を照射してプラズマを生成することができる。場合によっては、ターゲット材料に電荷を与えて、ターゲット材料を照射領域２８へ向かうよう又は照射領域２８から離れるよう誘導できるようにする。本明細書で用いる場合、照射領域は、ターゲット材料照射が発生する可能性のある領域であり、実際には照射が発生していない時であっても照射領域であることに留意するべきである。ＥＵＶ光源はビームステアリングシステム３２も含むことができる。これについては図２に関連付けて以下で詳述する。
【００２５】
[00028]  図示されているシステムにおけるコンポーネントは、小滴１４が実質的に水平方向に進むよう配置されている。レーザ源２２から照射領域２８へ向かう方向、すなわちビーム１２の公称伝搬方向を、Ｚ軸と考えることができる。小滴１４がターゲット材料デリバリシステム２４から照射領域２８まで進む経路を、Ｘ軸と考えることができる。従って、図１の図はＸＺ面に対して垂直である。ＥＵＶ放射源１０の配向は、好ましくは図示のように重力に対して回転させる。矢印Ｇは、重力の下方に関して好ましい配向を示す。この配向はＥＵＶ源に適用されるが、必ずしもスキャナ等の光学的に下流のコンポーネントに適用されるわけではない。また、小滴１４が実質的に水平方向に進むシステムが図示されているが、小滴が垂直方向に進むか、又は重力に対して９０度（水平方向）と０度（垂直方向）との間の（これらの角度を含む）角度で進む他の構成も使用可能であることは、当業者によって理解されよう。
【００２６】
[00029]  ＥＵＶ放射源１０は、ＥＵＶ光源コントローラシステム６０も含むことができる。これは、ビームステアリングシステム３２と共にレーザ発射制御システム６５を含み得る。また、ＥＵＶ放射源１０は、１つ以上の小滴結像器（droplet imager）７０を含み得るターゲット位置検出システムのような検出器も含むことができる。小滴結像器は、例えば照射領域２８に対するターゲット小滴の絶対位置又は相対位置を示す出力を発生し、この出力をターゲット位置検出フィードバックシステム６２に提供する。
【００２７】
[00030]  ターゲット位置検出フィードバックシステム６２は、小滴結像器７０の出力を用いてターゲットの位置及び軌道を計算することができ、それらからターゲット誤差を計算できる。ターゲット誤差は、小滴ごとに、又は平均値として、又は他の何らかの基準で計算され得る。次いで、ターゲット誤差を光源コントローラ６０に対する入力として提供することができる。これに応答して光源コントローラ６０は、レーザ位置、方向、又はタイミング補正信号のような制御信号を発生し、この制御信号をレーザビームステアリングシステム３２に提供することができる。レーザビームレーザビームステアリングシステム３２は、制御信号を用いて、チャンバ２６内のレーザビーム焦点スポットの位置及び／又は集光力を変更できる。レーザビームステアリングシステム３２は、制御信号を用いて、ビーム１２及び小滴１４の相互作用のジオメトリを変更することも可能である。例えばビーム１２は、小滴１４の中心を外して、すなわち真正面以外の入射角で小滴１４に衝突させることができる。
【００２８】
[00031]  図１に示されているように、ターゲット材料デリバリシステム２４はターゲットデリバリ制御システム９０を含むことができる。ターゲットデリバリ制御システム９０は、例えば上述したターゲット誤差、又はシステムコントローラ６０によって与えられたターゲット誤差から導出された何らかの量のような信号に応答して動作し、照射領域２８を通るターゲット小滴１４の経路を調節する。これは例えば、ターゲットデリバリ機構９２がターゲット小滴１４を解放するポイントを再位置決めすることによって達成できる。小滴解放ポイントは、例えばターゲットデリバリ機構９２を傾斜させること又はターゲットデリバリ機構９２をシフトさせることにより再位置決めできる。ターゲットデリバリ機構９２はチャンバ２６内まで延出しており、好ましくは外部からターゲット材料と、ターゲットデリバリ機構９２内のターゲット材料を圧力下に置くためのガス源とが供給される。
【００２９】
[00032]  引き続き図１を見ると、放射源１０は１つ以上の光学要素も含むことができる。以下の検討では、そのような光学要素の一例としてコレクタ３０が使用されるが、以下の検討は他の光学要素にも当てはまる。コレクタ３０は法線入射リフレクタとすることができ、例えばＭＬＭとして実施され、例えばＢ4Ｃ、ＺｒＣ、Ｓｉ3Ｎ4、又はＣのような追加の薄いバリア層が各界面に堆積されて、熱的に誘導される層間拡散を効果的に阻止する。アルミニウム（Ａｌ）又はシリコン（Ｓｉ）のような他の基板材料も使用可能である。コレクタ３０は、扁長楕円（prolate ellipsoid）の形態とすることができ、中央の開口がレーザ放射１２を通過させて照射領域２８に到達させる。コレクタ３０は例えば、第１の焦点が照射領域２８にあり、第２の焦点がいわゆる中間ポイント４０（中間焦点４０とも呼ばれる）にある楕円形である。中間ポイント４０において、ＥＵＶ放射はＥＵＶ放射源１０から出力し、集積回路リソグラフィスキャナ５０に入力することができる。集積回路リソグラフィスキャナ５０は、この放射を使用して、例えばレチクル又はマスク５４を用いた既知の方法でシリコンウェーハワークピース５２を処理する。次いでシリコンウェーハワークピース５２は、集積回路デバイスを得るため既知の方法で更に処理される。
【００３０】
[00033]  図１の構成は温度センサ３４も含む。これは例えば、局所温度、すなわちこのセンサにおけるチャンバ２６内のガスの温度を測定するため、チャンバ２６内に配置された熱電対である。図１は１つの温度センサを示すが、追加の温度センサを使用できることは認められよう。温度センサ３４は、測定温度を示す信号を発生し、これをコントローラ６０に対する追加入力として供給する。コントローラ６０は、少なくとも部分的にこの温度信号に基づいて、ビームステアリングシステム３２に供給する制御信号を発生する。
【００３１】
[00034]  以下で検討するように、小滴の質量中心に対する小滴に衝突するビームのオフセット（「傾斜」）を制御することで、ＥＵＶ発生性能を犠牲にすることなくデブリ制御を最適化できることがわかっている。具体的には、負の傾斜（意図的に、小滴の質量中心からわずかに一方側にずらして小滴にビームを衝突させる）によって、ＥＵＶ放射生成に大きく影響を及ぼすことなく、ターゲット材料の堆積を回避することが望ましいチャンバ２６のエリア内でターゲット材料堆積を最小限に抑制できることがわかっている。また、チャンバ内の温度分布はターゲット材料デブリの分布と相関があることもわかっている。従ってコントローラ６０は、制御信号を発生するための少なくとも部分的な基礎として温度センサ３４からの入力を使用する。これは、ＥＵＶ発生の最適化を担う制御ループと併用される。デブリ生成及びＥＵＶ発生を実質的に分離することで、デブリ生成を制限しながら良好なＥＵＶ生成を達成できることがわかっている。
【００３２】
[00035]  続いて図２を見ると、ビームステアリングシステム３２は１つ以上のステアリングミラー３２ａ、３２ｂ、及び３２ｃを含み得ることがわかる。３つのミラーが図示されているが、ビームを誘導するため４つ以上のステアリングミラー又は１つだけのステアリングミラーを用いてもよいことは認められよう。更に、ミラーが図示されているが、プリズムのような他の光学系が使用され得ること、及びステアリング光学系のうち１つ以上がチャンバ２６内部に位置決めされてプラズマ発生デブリに露呈され得ることは認められよう。例えば、２００６年２月２１日に出願された「LASER PRODUCED PLASMA EUV LIGHT SOURCE」と題する米国特許第７，５９８，５０９号を参照のこと。この全体的な内容は援用により本願に含まれる。図示されている実施形態では、ステアリングミラー３２ａ、３２ｂ、及び３２ｃの各々は、ステアリングミラー３２ａ、３２ｂ、及び３２ｃの各々を２つの次元の一方又は双方に個別に移動させ得る可動アクチュエータ（tip-tilt actuator）３６ａ、３６ｂ、及び３６ｃ上に搭載することができる。
【００３３】
[00036]  ＣＯ2レーザビームのＹ軸傾斜の極めて小さい変化は、ＥＵＶ発生に影響を及ぼすことなくターゲット材料堆積に極めて大きい変化を引き起こす可能性があることに留意するべきである。図３は、ＣＯ2レーザビーム１２と小滴１４の相互作用のジオメトリに適用されるＹ傾斜の概念を示す図である。Ｚ軸は、レーザビームの公称（Ｙ傾斜なし）伝搬に沿った方向である。小滴は、Ｚ軸に対して垂直でありグローバル座標系（global frame of reference）において水平方向であるＸ軸に沿って進む。小滴進行経路のＺ座標はＺ＝０である。Ｙ傾斜によって、ビームは、ビーム焦点スポットを通過する際に小滴中心からわずかに一方側にずれて当たる。従って図３に示されている状況では、ビーム１２は、小滴１４の一方側（公称ビーム経路又はＺ軸よりも下方）にずれて小滴に当たる（この一方側に焦点を有する）。これは負のＹ傾斜として記載される。Ｙ傾斜は、ビームがＹ傾斜ゼロの条件で小滴に当たる位置からのビームが小滴に当たる位置の変位として測定される。例えば、負のＹ傾斜の値は典型的に−１０ミクロン程度であり得る。図３において、小滴は球形に示されているが、小滴の形状は必ずしも球形でなく、例えばプレパルスによって平坦化された場合は他の形状をとり得ることは理解されよう。従って、この変位は小滴の質量中心から測定される。
【００３４】
[00037]  ＣＯ2ビームと小滴の相対的な配向が、ターゲット材料デブリの流れを制御する。ＣＯ2ビームが小滴のちょうど中心にある場合、ターゲット材料デブリはＺ軸に平行なビーム伝搬方向に伝搬する傾向がある。ビーム中心を小滴中心に対してシフトさせると、デブリフラックスは傾斜する、すなわちＺ軸に対して垂直な成分を持って伝搬する。ビームの実際のＹ傾斜は、レーザと小滴のミスアライメントによって生じるターゲット材料デブリフラックスの傾斜に比べて無視できる程度に小さい。２０マイクロラジアン程度の実際のＹ傾斜が、０．１ラジアン程度すなわち５０００倍大きいデブリ方向のシフトを引き起こすことがわかっている。
【００３５】
[00038]  ビームと小滴のミスアライメントをどのように達成するかはそれほど重要でない。これは、ビームを誘導することでビーム中心の位置をシフトさせることによって達成できるか、又は、小滴の解放ポイントを操作することで小滴の位置をシフトさせることによって達成できる。また、小滴の軌道が垂直成分を有する場合、パルスタイミングに対する小滴解放のタイミングを単独で、又は小滴の変位及び／又はレーザシフトと併用して制御することによって、所望の変位／ミスアライメントを達成することも可能である。
【００３６】
[00039]  負のＹ傾斜では、容器の所与の部分におけるターゲット材料堆積率を、正のＹ傾斜での堆積率よりも著しく低減できることがわかっている。温度センサによって測定され、ターゲット材料堆積率を示す温度は、高い堆積率の正のＹ傾斜条件よりも、低い堆積率の負のＹ傾斜条件の方が低かった。同時に、関連するＹ傾斜の量（約１０ミクロン）はＥＵＶ生成に影響を及ぼさなかった。従って、温度センサの位置から離れる方へＣＯ2ビームを傾斜させている負の傾斜では、ターゲット材料堆積率は極めて小さくなるが、正のＹ傾斜（温度センサの位置へ近付く方へ）では、ターゲット材料蓄積率は極めて高い値に達する。
【００３７】
[00040]  現在、プラズマから温度センサ位置までの距離は約２００ｍｍ〜約２５０ｍｍの範囲内であることが好ましい。温度センサは、環境に露呈された金属接合を有する「むき出しの（bare）」熱電対である可能性がある。このような熱電対を構成するもののような材料は、Ｈラジカルに対する高い再結合確率を有し、結果としてこのタイプの熱電対は、ガス温度と、Ｈラジカル再結合に起因する余分な熱との和である高い温度値を測定する。他のタイプは「ガラス」熱電対であり、この場合、金属接合はガラス毛細管に挿入されて環境との直接接触からこれを保護する。ガラス上でのＨラジカルの再結合確率はむき出しの金属よりもはるかに低く（約１０００分の１である）、このためガラス熱電対は、ガス温度のみによって決定される低い値を示す。しかしながら現実問題として、熱電対がデブリ蓄積に露呈される適用例では、ガラス熱電対は比較的迅速にターゲット材料デブリで覆われるので、測定される温度の差は大きくない。現在好適な実施形態では、むき出しの熱電対が使用される。
【００３８】
[00041]  所望の制御ループを生成するため、少なくとも１つの熱電対は、デブリ蓄積を最小限に抑えることが望ましい容器内のエリア、すなわちそのエリアへ向かうデブリの流れを最小限に抑えることが望ましい容器内のエリアに設置しなければならない。一例として、そのようなエリアの１つはコレクタの直上の容器の壁である。このエリアにおけるターゲット材料デブリ蓄積は、ターゲット材料がコレクタ上に落ちるリスクを引き起こす。図４は、熱電対３４が回転対称の容器２６の内壁４４の周囲で、コレクタ３０と中間位置４０との間の位置に位置決めされている例を示す。図４は６つの熱電対３４が使用されている構成を示すが、これより少ないか又は多い熱電対を使用してもよいこと、及び、熱電対の異なる構成及び位置決めを使用してもよいことは理解されよう。各熱電対は好ましくは、壁４４からガス内に約２ｃｍ突出する小径ワイヤ（直径１ｍｍ未満）として構成される。このような熱電対では、ワイヤがＥＵＶ伝搬経路内に少し突出した場合であっても、全体のＥＵＶ損失は無視できる程度である。図４の黒く塗りつぶした二重の矢印は、デブリ伝搬方向を示している。白い矢印は、Ｈ2をコレクタ３０から離れる方へ流すための好ましい構成を示す。要素４２は、Ｈ2から汚染物質を除去するためのスクラバである。矢印Ｇは重力の方向を示す。また、放射源１０とスキャナ５０との間の境界を画定するラインも示されている。
【００３９】
[00042]  熱電対の温度読み取り値は、入力としてコントローラ６０に供給される。図４は１つのそのような接続４６を示しているが、熱電対３４の各々が信号をコントローラ６０に供給するように接続されていることは理解されよう。次いでコントローラ６０は、デブリ蓄積を最小限に抑えることが望ましいエリアに設置された熱電対からの読み取り値を最小限に抑えるように、ビーム傾斜を調整するようビームステアリングシステム３２を制御する。一実施形態において、熱電対、コントローラ、及びビームステアリングシステムで構成された制御ループは、以下の関係に従って誤差信号Yerrを最小限に抑えるよう動作するものとして概念化できる。
[00043]  Yerr=Σ(Ti,protected)/Σ(Ti,all)
[00044]  ここで、Σ(Ti,protected)はコレクタの直上のエリアにおける温度読み取り値の和であり、Σ(Ti,all)は壁周囲の全ての読み取り値の和である。
【００４０】
[00045]  制御ループは、誤差信号を最小限に抑えるようにＹ傾斜を調整する。合計の傾斜Ytilt CO2は、ＥＵＶ生成を最適化するよう動作している主要制御システムによって設定されたＹ傾斜値Ytilt EUVと、上述のように「デブリループ」によって設定されたＹ傾斜値補正Ytilt Debrisの和である。従って、以下が成り立つ。
[00046]  Ytilt CO2=Ytilt EUV+Ytilt Debris
【００４１】
[00047]  好ましくは、Ytilt Debrisの最大絶対値は、好ましくは約１０ミクロン〜約２０ミクロンの範囲内の所定値に制限しなければならない。むろん、好適な値は「傾斜」の実施に応じて異なる。例えばターゲットが平坦である場合、平坦なターゲットの中点とビームが当たる場所との間で変位を生成することにより「傾斜」を実施して、デブリ分布を変化させることが可能である。
【００４２】
[00048]  局所温度の測定は、Ｓｎの局所濃度に関する有用な情報を与えると考えられる。対流及び拡散の物理方程式は、熱及びＳｎ濃度の双方に当てはまる。また、熱源及びＳｎ源は照射場所において概ね一致する。従って、測定された温度がＳｎ濃度の指示を与えると推論することは理にかなっている。この相関は必ずしも均一でないが、相関が高いことが予想できる位置で確実に温度を測定するよう注意するならば、制御ループに対する入力を与えるには充分である。原理上、必要なのは、メトロロジ及びコントローラにとって大きい信号対雑音が存在する位置に温度センサを配置することだけである。
【００４３】
[00049]  例えば、入射するＥＵＶ放射から熱電対を遮蔽して、誤った温度の検知を防止することが好ましい。また、壁における境界条件は相関を壊す可能性がある。Ｓｎが壁で凝縮することができるか又は凝縮した場合、壁におけるＳｎ濃度はゼロに近付く可能性があるが、壁は温度制御される可能性がある。従って、熱電対を最も近い壁から充分に離して配置して、壁における境界条件が温度測定を過度にゆがめるのを防止することが望ましい。現在、温度は壁から約２ｃｍの位置で測定することが望ましいが、温度は壁から２５ｃｍ又はそれ以上離れた位置で測定してもよい。各熱電対は好ましくは、好適な長さだけガス内に突出する小径ワイヤ（直径１ｍｍ未満）として構成される。また、いくつかの用途では、別の熱電対をチャンバの反対側に位置決めして、より高いか又はより低いＳＮ濃度の存在下で壁の近傍の温度測定を行うことが好ましい場合がある。
【００４４】
[00050]  上述のように、入射ビームとターゲット材料との間の相互作用は、チャンバ内のターゲット材料の分散に影響を与えるように制御される。所与の位置の温度が、その位置におけるターゲット材料濃度の指示として測定される。測定された温度は次いで、その位置で所望のターゲット材料濃度を得るためビーム／ターゲット材料の相互作用を制御する制御ループに対する入力として使用される。
【００４５】
[00051]  Ｓｎの小滴を用いたいくつかのシステムにおける例として、レーザは各小滴に２つのパルスを順次供給する。第１のパルスはプレパルスと呼ばれ、第２のパルスはメインパルスと呼ばれる。プレパルスの目的は小滴のプリコンディション（precondition）であり、メインパルスの目的は、プレパルスによる調節の後に小滴を蒸発させることである。例えばプレパルスが小滴に正面から当たった場合、ターゲットは平坦に拡大して、傾斜していないメインパルスに平坦な面を向ける「平坦ターゲット」と呼ばれるものになる。小滴が蒸発する位置は、好ましくはコレクタの一次焦点である。言い換えると、スキャナにリレーされる蒸発イベントの良好な合焦像を得るためには、一次焦点でメインパルスをターゲットに衝突させることが好ましい。
【００４６】
[00052]  上述のように、プレパルスが小滴に衝突する位置を変位させることによって「傾斜」を達成できる。これはターゲットをある角度に拡大させ、これによってメインパルスのための傾斜ターゲットが生じる。変位を生成するため、小滴を衝突の時に一次焦点に置くと共にレーザを変位させるか、又はレーザを一次焦点に誘導すると共に小滴と一次焦点との間で変位を生じることができる。傾斜は、「傾斜した」デブリ放出を決定するものである。しかしながら、イオン分布に影響を及ぼす異なる方法もある（例えばターゲット形状、ターゲット傾斜、メインパルス変位）。どの方法を使用する場合であっても、熱電対によって測定されるデブリパターンが制御ループにおけるフィードバックとして使用される。
【００４７】
[00053]  言い換えると、ビームと小滴の相互作用は、ＣＯ２ビームのポインティング（傾斜）を調整することによって変更できる。また、ビームと小滴の相互作用は、ビームが小滴に当たる水平方向又は垂直方向の位置を調整することによって調整可能である。これは、ターゲットデリバリ機構９２が小滴の解放ポイントを変えるようにターゲットデリバリ制御システム９０を制御することによって達成できる。また、これは、小滴が垂直方向に進むシステムにおいて小滴解放とパルス発生の相対的なタイミングを変えることによっても達成できる。このように小滴／ビームの相互作用を制御することは、制御ループの動作によって生じるプラズマ位置のシフト量を低減する利点を有することができる。
【００４８】
[00054]  ＣＯ2ビームのＹ傾斜又は小滴／ビーム相互作用の位置のいずれかを調整した後、プラズマ位置の調整が望ましい場合は、ＣＯ2ビームと小滴／ビーム相互作用の位置の双方を同時に新しい位置に移動させる（傾斜又はシフトさせる）ことができる（これら２つの間のアライメントに影響を及ぼすことなく）。このＹ傾斜と小滴／ビーム相互作用位置の同時シフトは、デブリフラックス又はＥＵＶ生成に影響を与えない。しかしながら、ループのいずれかにおいて更に調整が必要な場合は、プロセスを繰り返すことができる。
【００４９】
[00055]  更に別の実施形態では、温度読み取り値を用いて、例えばＺ軸と同一線上のような予測できる方向にデブリの流れを誘導して、容器内の全ての場所で壁に対するターゲット材料堆積を最小限に抑えることができる。この場合、制御ループは以下の値を最小限に抑えるように動作する。
[00056]  Yerr=Σ(Ti,all)
【００５０】
[00057]  また、この制御ループを用いてコレクタ上のデブリフラックスを最小限に抑えることも可能である。この場合、１つ以上の温度センサの位置をコレクタの方へ（Ｚ軸に沿って）シフトさせなければならない。また、計算流体力学（ＣＦＤ：computational fluid dynamics）シミュレーションに基づいて最も敏感なデブリの指標であると決定されたエリア内に温度センサを設置することも可能である。
【００５１】
[00058]  従って、ＥＵＶ源内で熱電対のような極めて小型かつ簡単な温度センサを用いることにより、Ｈ2流に伴うターゲット材料デブリを安定化し、最小限に抑え、誘導することを可能とするデブリ制御ループを設計できる。コレクタの重力的に上方に位置決めされた表面から離れる方へ流れを誘導する能力は、特にコレクタ寿命を延長するため使用することができる。
【００５２】
[00059]  上述の記載は１つ以上の実施形態の例を含む。むろん、上述の実施形態を説明する目的でコンポーネント又は方法の全ての考えられる組み合わせを記載することは不可能であり、様々な実施形態の多くの別の組み合わせ及び並べ換えが可能であることは当業者には認められよう。従って、記載されている実施形態は、添付の特許請求の範囲の精神及び範囲内に該当する全てのそのような代替、修正、及び変形を包含することが意図される。更に、「含む（include）」という用語が発明を実施するための形態又は特許請求の範囲のいずれかで使用される限り、このような用語は、「備える（comprising）」という用語が特許請求項において移行語として使用される場合に解釈されるのと同様に、包括的（inclusive）であることが意図される。更に、記載されている態様及び／又は実施形態の要素は単数形で記載又は特許請求され得るが、単数に対する限定が明示的に述べられていない限り、複数形も想定される。更に、特に明記しない限り、任意の態様及び／又は実施形態の全て又は一部を、任意の他の態様及び／又は実施形態の全て又は一部と共に利用することができる。本発明の他の態様は以下の番号を付けた条項に述べられている。
【００５３】
条項１
ＥＵＶ放射を発生するための装置であって、
容器と、
レーザ放射を発生するように適合されたレーザと、
レーザ放射を受容するように配置され、レーザ放射を容器内の照射領域に誘導するように適合されたレーザステアリングシステムと、
レーザによって照射される照射領域にターゲット材料を送出するように適合されたターゲット材料デリバリシステムであって、レーザによるターゲット材料の照射がＥＵＶ放射を発生する、ターゲット材料デリバリシステムと、
照射領域内のターゲット材料の位置を調整するための、ターゲット材料デリバリシステムに結合されたターゲット材料ステアリングシステムと、
ＥＵＶ放射の少なくとも１つの動作パラメータを測定するように、かつ、動作パラメータの値を示す第１の信号を発生するように適合されたＥＵＶ放射メトロロジシステムと、
容器内の位置に配置され、位置における容器内の温度を測定するように、かつ、測定した温度の値を示す温度信号を発生するように適合された温度センサと、
第１の信号及び温度信号を受信し、少なくとも部分的に測定した温度に基づいて制御信号を発生し、更に、制御信号をレーザステアリングシステム及びターゲット材料ステアリングシステムのうち少なくとも１つに提供して照射領域におけるレーザ放射とターゲット材料との相互作用を調整するように適合されたコントローラと、
を備える装置。
【００５４】
条項２
容器内に位置付けられたＥＵＶ光学要素を更に備え、温度センサが配置されている位置はＥＵＶ光学要素の重力的に上方である、条項１に記載の装置。
【００５５】
条項３
ＥＵＶ光学要素はコレクタミラーを含む、条項２に記載の装置。
【００５６】
条項４
温度センサが配置されている位置は容器の内壁上である、条項１に記載の装置。
【００５７】
条項５
温度センサは熱電対を含む、条項１に記載の装置。
【００５８】
条項６
容器内の第２の位置に配置され、第２の位置における容器内の第２の温度を測定するように、かつ、第２の測定した温度の値を示す第２の温度信号を発生するように適合された第２の温度センサを更に備え、コントローラは、第２の温度信号を受信するように、かつ、少なくとも部分的に第２の測定した温度に基づいて制御信号を発生するように適合されている、条項１に記載の装置。
【００５９】
条項７
ＥＵＶ放射を発生するための装置であって、
容器と、
レーザ放射を発生するように適合されたレーザと、
レーザ放射を受容するように配置され、レーザ放射を容器内の照射領域に誘導するように適合されたレーザステアリングシステムと、
レーザによって照射される照射領域にターゲット材料を送出するように適合されたターゲット材料デリバリシステムであって、レーザによるターゲット材料の照射がＥＵＶ放射を発生する、ターゲット材料デリバリシステムと、
照射領域内のターゲット材料の位置を調整するための、ターゲット材料デリバリシステムに結合されたターゲット材料ステアリングシステムと、
容器内に位置付けられたＥＵＶ光学要素と、
ＥＵＶ光学要素の重力的に上方の容器内の第１の位置に配置され、第１の位置における容器内の第１の測定温度を測定するように、かつ、第１の測定温度の値を示す第１の温度信号を発生するように適合された第１の温度センサと、
容器内の第２の位置に配置され、第２の位置における容器内のガスの第２の温度を測定するように、かつ、第２の測定温度の値を示す第２の温度信号を発生するように適合された第２の温度センサと、
第１の信号及び温度信号を受信するように、かつ、少なくとも部分的に第１の測定温度及び第２の測定温度に基づいて制御信号を発生して、制御信号をレーザステアリングシステムに提供して、レーザ放射が照射領域においてターゲット材料に当たる角度を調整するように適合されたコントローラと、
を備える装置。
【００６０】
条項８
ＥＵＶ光学要素はコレクタミラーを含む、条項７に記載の装置。
【００６１】
条項９
第１の温度センサは容器の内壁上に配置され、第２の温度センサは容器の内壁上に配置されている、条項７に記載の装置。
【００６２】
条項１０
第１の温度センサは第１の熱電対を含み、第２の温度センサは第２の熱電対を含む、条項７に記載の装置。
【００６３】
条項１１
ＥＵＶ放射を発生するための装置であって、
容器と、
レーザビームを発生するように適合されたレーザと、
レーザビームを受容するように配置され、レーザビームを容器内の照射領域に誘導すると共に照射領域におけるレーザビームの傾斜を調整するように適合されたレーザステアリングシステムと、
レーザビームによって照射される照射領域にターゲット材料を送出するように適合されたターゲット材料デリバリシステムであって、レーザビームによるターゲット材料の照射がＥＵＶ放射を発生する、ターゲット材料デリバリシステムと、
容器内の位置に配置され、位置における容器内の温度を測定するように、かつ、測定した温度の値を示す温度信号を発生するように適合された温度センサと、
温度信号を受信し、少なくとも部分的に温度信号の値に基づいて制御信号を発生し、更に、制御信号をレーザステアリングシステムに提供してレーザビームの傾斜を調整するように適合されたコントローラと、
を備える装置。
【００６４】
条項１２
傾斜は温度を所定の最大値未満に維持するように調整される、条項１１に記載の装置。
【００６５】
条項１３
容器内の第２の位置に配置され、第２の位置における容器内の第２の温度を測定するように、かつ、測定した温度の第２の値を示す第２の温度信号を発生するように適合された第２の温度センサを更に備え、コントローラは更に、第２の温度信号を受信し、少なくとも部分的に第２の温度信号の第２の値に基づいて制御信号を発生し、制御信号をレーザステアリングシステムに提供してレーザビームの傾斜を調整するように適合されている、条項１１に記載の装置。
【００６６】
条項１４
容器内に位置付けられたＥＵＶ光学要素を更に備え、温度センサが配置されている位置はＥＵＶ光学要素の重力的に上方である、条項１３に記載の装置。
【００６７】
条項１５
ＥＵＶ光学要素はコレクタミラーを含む、条項１４に記載の装置。
【００６８】
条項１６
温度センサが配置されている位置は容器の内壁上である、条項１４に記載の装置。
【００６９】
条項１７
温度センサは熱電対を含み、第２の温度センサは熱電対を含む、条項１３に記載の装置。
【００７０】
条項１８
ＥＵＶ放射を発生するための装置であって、
容器と、
レーザビームを発生するように適合されたレーザと、
レーザビームを受容するように配置され、レーザビームを容器内の照射領域に誘導すると共に照射領域におけるレーザビームの傾斜を調整するように適合されたレーザステアリングシステムと、
レーザビームによって照射される照射領域にターゲット材料を送出するように適合されたターゲット材料デリバリシステムであって、レーザビームによるターゲット材料の照射がＥＵＶ放射を発生する、ターゲット材料デリバリシステムと、
容器内の各位置に配置され、各位置における容器内の温度を測定するように、かつ、測定した温度の値を示す複数の温度信号を発生するように適合された複数の温度センサと、
複数の温度信号を受信し、少なくとも部分的に温度信号の値に基づいて制御信号を発生し、更に、制御信号をレーザステアリングシステムに提供してレーザビームの傾斜を調整するように適合されたコントローラと、
を備える装置。
【００７１】
条項１９
容器内に位置付けられたＥＵＶ光学要素を更に備え、複数の温度センサのうち少なくとも１つが配置されている位置はＥＵＶ光学要素の重力的に上方である、条項１８に記載の装置。
【００７２】
条項２０
複数の温度センサの各々は熱電対を含む、条項１８に記載の装置。
【図１】
2020519924.tif 000003
【図２】
2020519924.tif 000004
【図３】
2020519924.tif 000005
【図４】
2020519924.tif 000006
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
ＥＵＶ放射を発生するための装置であって、
容器と、
レーザ放射を発生するように適合されたレーザと、
前記レーザ放射を受容するように配置され、前記レーザ放射を前記容器内の照射領域に誘導するように適合されたレーザステアリングシステムと、
前記レーザによって照射される前記照射領域にターゲット材料を送出するように適合されたターゲット材料デリバリシステムであって、前記レーザによる前記ターゲット材料の前記照射が前記ＥＵＶ放射を発生する、ターゲット材料デリバリシステムと、
前記照射領域内の前記ターゲット材料の位置を調整するための、前記ターゲット材料デリバリシステムに結合されたターゲット材料ステアリングシステムと、
前記ＥＵＶ放射の少なくとも１つの動作パラメータを測定するように、かつ、前記動作パラメータの値を示す第１の信号を発生するように適合されたＥＵＶ放射メトロロジシステムと、
前記容器内の位置に配置され、前記位置における前記容器内の温度を測定するように、かつ、前記測定した温度の値を示す温度信号を発生するように適合された温度センサと、
前記第１の信号及び前記温度信号を受信し、少なくとも部分的に前記測定した温度に基づいて制御信号を発生し、更に、前記制御信号を前記レーザステアリングシステム及び前記ターゲット材料ステアリングシステムのうち少なくとも１つに提供して前記照射領域における前記レーザ放射と前記ターゲット材料との相互作用を調整するように適合されたコントローラと、
を備える装置。
【請求項２】
前記容器内に位置付けられたＥＵＶ光学要素を更に備え、前記温度センサが配置されている前記位置は前記ＥＵＶ光学要素の重力的に上方である、請求項１に記載の装置。
【請求項３】
前記ＥＵＶ光学要素はコレクタミラーを含む、請求項２に記載の装置。
【請求項４】
前記容器内の第２の位置に配置され、前記第２の位置における前記容器内の第２の温度を測定するように、かつ、前記第２の測定した温度の値を示す第２の温度信号を発生するように適合された第２の温度センサを更に備え、前記コントローラは、前記第２の温度信号を受信するように、かつ、少なくとも部分的に前記第２の測定した温度に基づいて前記制御信号を発生するように適合されている、請求項１に記載の装置。
【請求項５】
ＥＵＶ放射を発生するための装置であって、
容器と、
レーザ放射を発生するように適合されたレーザと、
前記レーザ放射を受容するように配置され、前記レーザ放射を前記容器内の照射領域に誘導するように適合されたレーザステアリングシステムと、
前記レーザによって照射される前記照射領域にターゲット材料を送出するように適合されたターゲット材料デリバリシステムであって、前記レーザによる前記ターゲット材料の前記照射が前記ＥＵＶ放射を発生する、ターゲット材料デリバリシステムと、
前記照射領域内の前記ターゲット材料の位置を調整するための、前記ターゲット材料デリバリシステムに結合されたターゲット材料ステアリングシステムと、
前記容器内に位置付けられたＥＵＶ光学要素と、
前記ＥＵＶ光学要素の重力的に上方の前記容器内の第１の位置に配置され、前記第１の位置における前記容器内の第１の測定温度を測定するように、かつ、前記第１の測定温度の値を示す第１の温度信号を発生するように適合された第１の温度センサと、
前記容器内の第２の位置に配置され、前記第２の位置における前記容器内のガスの第２の温度を測定するように、かつ、前記第２の測定温度の値を示す第２の温度信号を発生するように適合された第２の温度センサと、
前記第１の信号及び前記温度信号を受信するように、かつ、少なくとも部分的に前記第１の測定温度及び前記第２の測定温度に基づいて制御信号を発生して、前記制御信号を前記レーザステアリングシステムに提供して、前記レーザ放射が前記照射領域において前記ターゲット材料に当たる角度を調整するように適合されたコントローラと、
を備える装置。
【請求項６】
前記ＥＵＶ光学要素はコレクタミラーを含む、請求項５に記載の装置。
【請求項７】
前記第１の温度センサは第１の熱電対を含み、前記第２の温度センサは第２の熱電対を含む、請求項５に記載の装置。
【請求項８】
ＥＵＶ放射を発生するための装置であって、
容器と、
レーザビームを発生するように適合されたレーザと、
前記レーザビームを受容するように配置され、前記レーザビームを前記容器内の照射領域に誘導すると共に前記照射領域における前記レーザビームの傾斜を調整するように適合されたレーザステアリングシステムと、
前記レーザビームによって照射される前記照射領域にターゲット材料を送出するように適合されたターゲット材料デリバリシステムであって、前記レーザビームによる前記ターゲット材料の前記照射が前記ＥＵＶ放射を発生する、ターゲット材料デリバリシステムと、
前記容器内の位置に配置され、前記位置における前記容器内の温度を測定するように、かつ、前記測定した温度の値を示す温度信号を発生するように適合された温度センサと、
前記温度信号を受信し、少なくとも部分的に前記温度信号の前記値に基づいて制御信号を発生し、更に、前記制御信号を前記レーザステアリングシステムに提供して前記レーザビームの前記傾斜を調整するように適合されたコントローラと、
を備える装置。
【請求項９】
前記傾斜は前記温度を所定の最大値未満に維持するように調整される、請求項８に記載の装置。
【請求項１０】
前記容器内の第２の位置に配置され、前記第２の位置における前記容器内の第２の温度を測定するように、かつ、前記測定した温度の第２の値を示す第２の温度信号を発生するように適合された第２の温度センサを更に備え、前記コントローラは更に、前記第２の温度信号を受信し、少なくとも部分的に前記第２の温度信号の前記第２の値に基づいて前記制御信号を発生し、前記制御信号を前記レーザステアリングシステムに提供して前記レーザビームの前記傾斜を調整するように適合されている、請求項８に記載の装置。
【請求項１１】
前記容器内に位置付けられたＥＵＶ光学要素を更に備え、前記温度センサが配置されている前記位置は前記ＥＵＶ光学要素の重力的に上方である、請求項１０に記載の装置。
【請求項１２】
前記ＥＵＶ光学要素はコレクタミラーを含む、請求項１１に記載の装置。
【請求項１３】
前記温度センサは熱電対を含み、前記第２の温度センサは熱電対を含む、請求項１０に記載の装置。
【請求項１４】
ＥＵＶ放射を発生するための装置であって、
容器と、
レーザビームを発生するように適合されたレーザと、
前記レーザビームを受容するように配置され、前記レーザビームを前記容器内の照射領域に誘導すると共に前記照射領域における前記レーザビームの傾斜を調整するように適合されたレーザステアリングシステムと、
前記レーザビームによって照射される前記照射領域にターゲット材料を送出するように適合されたターゲット材料デリバリシステムであって、前記レーザビームによる前記ターゲット材料の前記照射が前記ＥＵＶ放射を発生する、ターゲット材料デリバリシステムと、
前記容器内の各位置に配置され、前記各位置における前記容器内の温度を測定するように、かつ、前記測定した温度の値を示す複数の温度信号を発生するように適合された複数の温度センサと、
前記複数の温度信号を受信し、少なくとも部分的に前記温度信号の前記値に基づいて制御信号を発生し、更に、前記制御信号を前記レーザステアリングシステムに提供して前記レーザビームの前記傾斜を調整するように適合されたコントローラと、
を備える装置。
【請求項１５】
前記容器内に位置付けられたＥＵＶ光学要素を更に備え、前記複数の温度センサのうち少なくとも１つが配置されている前記位置は前記ＥＵＶ光学要素の重力的に上方である、請求項１４に記載の装置。
【請求項１６】
前記複数の温度センサの各々は熱電対を含む、請求項１４に記載の装置。
【国際調査報告】
2020519924.tif 000007
2020519924.tif 000008